(57)【要約】【課題】従来、エレベータのドアレール清掃装置において、清掃部材のドアレールの当接する面が平面であったため、前記清掃部材と前記ドアレールは上部の凸状部における頂点のみで当接し、非接触部を生じていた。その結果、前記ドアレールの上部の凸状部の頂点は清掃されるものの、上部の凸状部における頂点以外の部分は塵埃あるいは塵埃と油分が混合した粘度のある汚れが残留したままになってしまう。その結果、ガタツキや異音を生じるなど、エレベータドアの開閉性能を劣化させるという問題があった。【解決手段】前記清掃部材の前記ドアレールの当接する面に、前記ドアレールの上部の凸状部と略同一の凹部を設け、前記清掃部材が前記ドアレールの上部の凸状部と隙間無く当接させる。【選択図】図２
2014019518.tif 000002
【特許請求の範囲】
【請求項１】
エレベータのドアレールを清掃する装置であって、
エレベータ出入口の上方に配置した上部フレームを備え、
前記上部フレームはドアレールを含み、
前記ドアレールの上端はドアレール長手方向から見た断面が凸状であり、
ドアの上端側に設けられたドアハンガーをさらに備え、
前記ドアハンガーは、
前記ドアレールの長手方向に沿ってそのドアレールの上を転動するハンガーローラと、
前記ドアハンガーに取り付けられて前記ドアレールの上面を清掃する清掃部材を含み、
前記清掃部材は、
ドアレール長手方向から見たときに、前記ドアレールと接する部分に凹部を有す、
エレベータのドアレール清掃装置。
【請求項２】
前記凸状は、
曲線状である、
請求項１に記載のエレベータのドアレール清掃装置
【請求項３】
前記清掃部材は、
植毛台と、
前記植毛台に植毛された複数の毛束を含む、
請求項１乃至請求項３のいずれかに記載のエレベータのドアレール清掃装置。
【請求項４】
前記凹部は、
ドアレール長手方向から見たときに、前記ドアレールと接する部分の前記毛束の先端を結んだ稜線が凹の弧状である前記複数の毛束を含む、
請求項３に記載のエレベータのドアレール清掃装置。
【請求項５】
前記凹の弧状は、
前記ドアレール上端のドアレール長手方向から見た断面形状と略同一である、
請請求項４に記載のエレベータのドアレール清掃装置。
【請求項６】
前記植毛台は、
保持体を介して、前記ドアハンガーに取り付けられ、
鉛直方向断面が略Ｔ形状のフランジ部を含み、
前記保持体は、
前記フランジ部と当接する先端部を含む、
請求項３乃至請求項５のいずれかに記載のエレベータのドアレール清掃装置。
【請求項７】
前記植毛台は、
油を含浸することが可能な素材を含む、
請求項３乃至請求項６のいずれかに記載のエレベータのドアレール清掃装置。
【請求項８】
前記植毛台は、
上部に筐体を含み、
前記筐体は、
上部が開口し、
その内部に油が注入可能であり、
前記開口は、
開閉自在の蓋体により閉塞され、
前記油は
前記筐体下部より前記植毛台に注油可能な構成になっている、
請求項７に記載のエレベータのドアレール清掃装置。
【請求項９】
前記ドアハンガーは、
前記ドアハンガーに取り付けられて前記ドアレールの上面に注油する注油部材をさらに含む、
請求項１乃至請求項６のいずれかに記載のエレベータのドアレール清掃装置。
【請求項１０】
前記毛束は、
前記ドアレールに対して複数の方向で当接する、
請求項２又は請求項３に記載のエレベータのドアレール清掃装置。
【請求項１１】
前記複数の方向は、
前記ドアレールの上面と前記毛束が当接する当接点における法線方向と略一致する、
請求項１０に記載のエレベータのドアレール清掃装置。
【発明の詳細な説明】
【技術分野】
【０００１】
本発明は、エレベータのドアレール清掃装置の改良に関するものである。
【背景技術】
【０００２】
従来、エレベータのドアレール清掃装置としては、ドアレール上を摺動移動してそのドアレールに油を供給する清掃給油材と、この清掃給油材を保持してドアの上端側に設けたドアハンガーに固定される固定具とを備え、その固定具を、前記清掃給油材の両側面を保持する両側面板と、この両側面板を連結する背面板と、前記両側面板のいずれか一方から残りの側面板の対面方向に突出する突出部とから構成して、その両側面板と背面板と突出部とにより、前記清掃給油材を四方向から保持固定したものが知られていた（例えば、特許文献１参照）。
【０００３】
また、前記清掃給油材を交換する場合に、清掃ブラシ体のみを、その清掃ブラシ体を保持する部材を変形させることなく、簡単に取り付け及び取り外すことができるとともに、清掃ブラシ体の下面をドアレールの上面に適切な押付力で、簡単に押し付けさせることのできるエレベータのドアレール清掃装置が知られていた（例えば、特許文献２参照）。
【先行技術文献】
【特許文献】
【０００４】
【特許文献１】特開平８−３１９０７８号公報
【０００５】
【特許文献２】特開２００６−３３５４９６号公報
【発明の概要】
【発明が解決しようとする課題】
【０００６】
前記従来のエレベータのドアレール清掃装置は給油装置としての役割から、清掃ブラシ体が弾力性のあるフェルト状の材料から形成されている（例えば、特許文献１および特許文献２段落番号００２０）。
【０００７】
一方、エレベータのドアレールはドアレール長手方向から見た断面において、上部が凸状になっている場合が多い。これは、ドアの上端側に設けたドアハンガーと、このドアハンガーに設けられて前記ドアレールの長手方向に沿ってそのドアレール上を転動するハンガーローラにおいて、前記ハンガーローラが前記ドアレールから脱輪しないように、前記ハンガーローラの前記ドアレールと当接する面を凹状とし、前記ドアレールの上部の凸状部を、前記ハンガーローラの凹状部に嵌合させているためである。
【０００８】
ところで、エレベータの使用に伴い、前記ドアレール上には塵埃あるいは塵埃と油分が混合した粘度のある汚れが付着する。これら塵埃等を除去するには、前記清掃ブラシ体は硬度が高い方が、前記塵埃等を擦り落とすには有効である。しかし、給油装置としての機能を有する場合、油を含侵する必要があり、前記特許文献１あるいは前記特許文献２のように、フェルト状の材料など硬度の低いものを使用する必要があった。
【０００９】
前述のように、前記清掃ブラシ体の材質をフェルト状の材料など硬度の低いものとした場合、前記清掃ブラシ体を前記ドアレールに押し付けると前記ドアレールの上部の凸状部に合わせて、前記清掃ブラシ体が変形し、前記ドアレールの上部を満遍なく清掃あるいは給油することが可能である。
【００１０】
しかし、前記ドアレール上の塵埃あるいは塵埃と油分が混合した粘度のある汚れをより強力に除去するために、前記清掃ブラシ体の材質を硬度の高いものとした場合、以下の問題点がある。当該問題点について図１１を用いて説明する。
【００１１】
図１１は、従来技術に係るエレベータのドアレール清掃装置とドアレールの当接部分を示す部分断面図である。
【００１２】
図１１において、５ａ、５ｂはドアハンガー、１１はドアレール、２５は清掃部材、２３は清掃部材２５をドアハンガー５ａ、５ｂに固定するための保持体、２４は保持体２３をドアハンガー５ａ、５ｂに固定するための固定具、１５はドアハンガー５ａ、５ｂがドアレール１１より脱落するのを防止するためにドアハンガー５ａ、５ｂに回動自在に取り付けられたアップスラストローラ、１６はアップスラストローラ１５をドアハンガー５ａ、５ｂに固定するためのナット、Ａ、Ａは清掃部材２５とドアレール１１の非接触部である。
【００１３】
清掃部材２５は固定具２４を調整することにより、ドアレール１１の上部の凸状部に押し付けられ、塵埃あるいは塵埃と油分が混合した粘度のある汚れを清掃する。しかし、清掃部材２５の硬度が高いと清掃部材２５とドアレール１１は上部の凸状部における頂点のみで当接し、Ａ、Ａに示した非接触部を生じる。その結果、ドアレール１１の上部の凸状部の頂点は清掃されるものの、上部の凸状部における頂点以外の部分は塵埃あるいは塵埃と油分が混合した粘度のある汚れが残留したままになってしまう。その結果、ドアハンガーローラ（図１１では図示せず）はドアレール１１の非接触部に残留した塵埃あるいは塵埃と油分が混合した粘度のある汚れにより、ガタツキや異音を生じるなど、エレベータドアの開閉性能を劣化させるという問題があった。
【課題を解決するための手段】
【００１４】
請求項１に記載の発明にあっては、エレベータのドアレールを清掃する装置であって、エレベータ出入口の上方に配置した上部フレームを備え、前記上部フレームはドアレールを含み、前記ドアレールの上端はドアレール長手方向から見た断面が凸状であり、ドアの上端側に設けられたドアハンガーをさらに備え、前記ドアハンガーは、前記ドアレールの長手方向に沿ってそのドアレールの上を転動するハンガーローラと、前記ドアハンガーに取り付けられて前記ドアレールの上面を清掃する清掃部材を含み、前記清掃部材は、ドアレール長手方向から見たときに、前記ドアレールと接する部分に凹部を有する構成とする。
【００１５】
また、請求項２に記載の発明にあっては、前記凸状は、曲線状である
【００１６】
また、請求項３に記載の発明にあっては、前記清掃部材は、植毛台と、前記植毛台に植毛された複数の毛束を含む構成とする。
【００１７】
また、請求項４に記載の発明にあっては、前記凹部は、ドアレール長手方向から見たときに、前記ドアレールと接する部分の前記毛束の先端を結んだ稜線が凹の弧状である前記複数の毛束を含む構成とする。
【００１８】
また、請求項５に記載の発明にあっては、前記凹の弧状は、前記ドアレール上端のドアレール長手方向から見た断面形状と略同一の構成とする。
【００１９】
また、請求項６に記載の発明にあっては、前記植毛台は、保持体を介して、前記ドアハンガーに取り付けられ、鉛直方向断面が略Ｔ形状のフランジ部を含み、前記保持体は、前記フランジ部と当接する先端部を含む構成とする。
【００２０】
また、請求項７に記載の発明にあっては、前記植毛台は、油を含浸することが可能な素材を含む構成とする。
【００２１】
また、請求項８に記載の発明にあっては、前記植毛台は、上部に筐体を含み、前記筐体は、上部が開口し、その内部に油が注入可能であり、前記開口は、開閉自在の蓋体により閉塞され、前記油は前記筐体下部より前記植毛台に注油可能な構成とする。
【００２２】
また、請求項９に記載の発明にあっては、前記ドアハンガーは、前記ドアハンガーに取り付けられて前記ドアレールの上面に注油する注油部材をさらに含む構成とする。
【００２３】
また、請求項１０に記載の発明にあっては、前記毛束は、前記ドアレールに対して複数の方向で当接する構成とする。
【００２４】
また、請求項１１に記載の発明にあっては、前記複数の方向は、前記ドアレールの上面と前記毛束が当接する当接点における法線方向と略一致する構成とする。
【発明の効果】
【００２５】
この発明によれば、ドアレールの上端に付着した塵埃あるいは塵埃と油分が混合した粘度のある汚れを確実に清掃することができる。
【図面の簡単な説明】
【００２６】
【図１】本実施形態に係るエレベータのドアレール清掃装置が適用されるドア開閉機構の概略図を示す正面図である。
【図２】実施例１に係るエレベータのドアレール清掃装置とドアレールの当接部分を示す図１におけるＸ部分断面図である。
【図３】実施例１に係るエレベータのドアレール清掃装置の清掃部材を示す斜視図である。
【図４】実施例１に係るエレベータのドアレール清掃装置の清掃部材を示す正面図である。
【図５】実施例１に係るエレベータのドアレール清掃装置の清掃部材と保持具の取付状態を示す斜視図である。
【図６】実施例５に係るエレベータのドアレール清掃装置の清掃部材と保持具の取付状態を示す斜視図である。
【図７】実施例４に係るエレベータのドアレール清掃装置の清掃部材を示す斜視図である。
【図８】実施例４に係るエレベータのドアレール清掃装置の図７における清掃部材の変形状態を示す斜視図である。
【図９】実施例２に係るエレベータのドアレール清掃装置の清掃部材の先端部拡大図である。
【図１０】実施例６に係るエレベータのドアレール清掃装置の清掃部材を示す正面図である。
【図１１】従来技術に係るエレベータのドアレール清掃装置とドアレールの当接部分を示す部分断面図である。
【発明を実施するための形態】
【００２７】
以下、本発明の実施例について、図面を用いて説明する。
【００２８】
図１は本実施形態のエレベータのドアレール清掃装置が適用されるドア開閉機構の概略図を示す正面図である。
【００２９】
まず、このドア開閉装置の構造を図１に基づいて簡単に説明すると、２枚のエレベータドア４ａ、４ｂを有する中央開き型ドア開閉装置であり、両エレベータドア４ａ、４ｂはかご室の上部に設置された上部フレーム３に配置されたドアレール１１にドアハンガー５ａ、５ｂを介して吊り下げ支持されている。ドアハンガー５ａ、５ｂには少なくとも２個以上のハンガーローラ２７が回動自在に配置され、ハンガーローラ２７はドアレール１１に載置される。また、２はエレベータのドアレール清掃装置である。
【００３０】
ドアハンガー５ａ、５ｂは連結具７、８を介しドア開閉装置の駆動ベルト１０に連結されている。
【００３１】
電動機１は固定部材６により、上部フレーム３に固定されている。そして、駆動ベルト１０は電動機１の動力を伝達するものであり、電動機１の駆動プーリ２６と従動プーリ９に無端状に巻き掛けられている。連結具７は駆動プーリ２６と従動プーリ９に無端状に巻き掛けられた駆動ベルト１０の下部側区間に連結され、連結具８は駆動プーリ２６と従動プーリ９に無端状に巻き掛けられた駆動ベルト１０の上部側区間に連結されている。
【００３２】
従って、電動機１により駆動ベルト１０が循環すると、ドアハンガー５ａのハンガーローラ２７が転動することにより、ドアハンガー５ａがドアレール１１に沿って移動し、ドアハンガー５ｂのハンガーローラ２７が転動することにより、ドアハンガー５ｂがドアレール１１に沿ってドアハンガー５ａと反対方向に移動する。
【実施例１】
【００３３】
次に、図１乃至図５を用いて、本実施形態のエレベータのドアレール清掃装置について説明する。なお、各図面における対応する構成については、同一の符合を付して重複する説明を省略する。
【００３４】
図２は実施例１に係るエレベータのドアレール清掃装置とドアレールの当接部分を示す図１におけるＸ部分断面図である。図３は実施例１に係るエレベータのドアレール清掃装置の清掃部材を示す斜視図である。図４は実施例１に係るエレベータのドアレール清掃装置の清掃部材を示す正面図である。図５は実施例１に係るエレベータのドアレール清掃装置の清掃部材と保持具の取付状態を示す斜視図である。
【００３５】
図２において、１２は清掃部材、１２ａは植毛台、１２ｂは植毛台１２ａに植毛された毛束、１７は植毛台１２ａを保持する保持体、１４は保持体１７をドアハンガー５ａ、５ｂに固定する固定部材である。
【００３６】
図３において、１２ｅは植毛台１２ａの毛束１２ｂと直交する方向の断面のＴ形状におけるフランジ部、１２ｃは植毛台に開けられた固定用穴である。
【００３７】
図４において、１２ｄは毛束１２ｂの先端弧状部である。
【００３８】
図５において、１７ａは保持体１７のＬ字状に折れ曲がった一辺でありその先端に清掃部材１２を取り付ける保持辺、１７ｂは保持体１７のＬ字状に折れ曲がった一辺である保持辺１７ａと直交する他方の辺である固定辺、１７ｃは保持体１７の固定辺１７ｂに開けられたエレベータのドアレール清掃装置２をドアハンガー５ａ、５ｂに固定するための固定穴、１７ｄは保持辺１７ａの清掃部材１２取り付け側の先端部、１３は清掃部材１２を保持辺１７ａに開けられた取付穴（図示せず）を介して保持体１７に固定する固定部材である。
【００３９】
ここで、図５における清掃部材１２はフランジ部１２ｅと保持辺１７ａの先端部１７ｄと当接し、固定部材１３によって保持体１７に固定される。フランジ部１２ｅと先端部１７ｄとを当接させることにより、固定部材１３が１本であっても、固定部材１３を中心に清掃部材１２が回転して毛束１２ｂとドアレール１１の上部の凸状部との当りがずれることを防ぐことができる。
【００４０】
図２において、清掃部材１２の毛束１２ｂの先端である先端弧状部１２ｄ（図４）は、ドアレール１１の上部の凸状部に押し付けられ、先端弧状部１２ｄの凹部形状とドアレール１１の上部の凸状部の形状が略同一のため、ドアレール１１の上部の凸状部に満遍なく清掃部材１２の毛束１２ｂが当接する。ここで、先端弧状部１２ｄとドアレール１１の上部の凸状部との当たり具合は、保持体１７の固定穴１７ｃがドアレールの長手方向に対して傾斜した長穴により、固定穴１７ｃにおける固定部材１４の固定位置によって調節することができる。そして、ドアハンガー５ａ、５ｂがドアレール１１の長手方向に開閉することにより、毛束１２ｂがドアレール１１の上部の凸状部に付着した塵埃あるいは塵埃と油分が混合した粘度のある汚れを清掃する。
【００４１】
先端弧状部１２ｄの形状であれば、毛束１２ｂの硬度が高くとも、毛束１２ｂとドアレール１１の当接部に、従来技術のような非接触部Ａ、Ａ（図１１）は生じない。その結果、ドアレール１１の上部の凸状部における塵埃あるいは塵埃と油分が混合した粘度のある汚れを漏らすことなく清掃することができる。そして、ガタツキや異音を生じることがないため、エレベータドアの開閉性能を劣化させるという問題が解消する。
【実施例２】
【００４２】
次に、図４および図９を用いて、本実施形態のエレベータのドアレール清掃装置について説明する。なお、各図面における対応する構成については、同一の符合を付して重複する説明を省略する。
【００４３】
図９は実施例２に係るエレベータのドアレール清掃装置の別の例における清掃部材の先端部拡大図である。
【００４４】
図９において、１２ｆは毛束１２ｂの毛１本１本の先端がドアレール１１の上部の凸状部に合わせて切断された場合の先端弧状部である。
【００４５】
前記実施例１において、図４における本実施例の毛束１２ｂの先端弧状部１２ｄは毛束を構成する１本１本の毛の先端は水平に切断されているが、図９に示す先端弧状部１２ｆのように、毛１本１本の先端がドアレール１１の上部の凸状部に合わせて切断されていれば、より確実に毛束１２ｂの先端がドアレール１１の上部の凸状部に接することができる。その結果、さらに確実にドアレール１１の上部の凸状部における塵埃あるいは塵埃と油分が混合した粘度のある汚れを漏らすことなく清掃することができる。そして、ガタツキや異音を生じることがないため、エレベータドアの開閉性能を劣化させるという問題が解消する。
【実施例３】
【００４６】
実施例３は実施例１または実施例２の植毛台１２ａを、潤滑油を含浸することが可能な素材とする。例えば、多孔質樹脂などの吸油性樹脂である。
【００４７】
実施例３において、植毛台１２ａに定期的に注油することにより、植毛台１２ａに含浸した潤滑油が毛束１２ｂに染み出し、ドアレール１１上の上部の凸状部における塵埃あるいは塵埃と油分が混合した粘度のある汚れを漏らすことなく清掃すると共に、潤滑油をドアレール１１上の上部の凸状部に塗布することができる。そして、ガタツキや異音を生じることがないため、エレベータドアの開閉性能を劣化させるという問題が解消する。
【実施例４】
【００４８】
次に、図７および図８を用いて、本実施形態のエレベータのドアレール清掃装置について説明する。なお、各図面における対応する構成については、同一の符合を付して重複する説明を省略する。
【００４９】
図７は実施例４に係るエレベータのドアレール清掃装置の清掃部材を示す斜視図である。また、図８は実施例４に係るエレベータのドアレール清掃装置の図７における清掃部材の変形状態を示す斜視図である。
【００５０】
図７において、２８は内部にドアレール１１の潤滑油を保持可能な筐体、２０は筐体２８の上部開口を閉塞する蓋体、２１は蓋体２０を開閉するための取手である。
【００５１】
筐体２８の底面は筐体内部に保持された潤滑油を所定の量染み出させるための微小な貫通孔を有する。また、蓋体２０の取手２１と反対側は、図示しないヒンジ機構により筐体２８に持着されている。
【００５２】
本実施例においては、図８に示すように、取手２１を引き起こし、蓋体２０を開放し、筐体２８内に潤滑油を注入する。そして、蓋体２０を閉じ、図示しない保持機構により、筐体２８の開口部を蓋体２０が閉塞した状態で保持する。
【００５３】
実施例４において、筐体２８に定期的に注油することにより、筐体２８から潤滑油が植毛台１２ａに染み出し、さらに植毛台１２ａに含浸した潤滑油が毛束１２ｂに染み出し、ドアレール１１上の上部の凸状部における塵埃あるいは塵埃と油分が混合した粘度のある汚れを漏らすことなく清掃すると共に、潤滑油をドアレール１１上の上部の凸状部に塗布することができる。そして、ガタツキや異音を生じることがないため、エレベータドアの開閉性能を劣化させるという問題が解消する。
【実施例５】
【００５４】
次に、図６を用いて、本実施形態のエレベータのドアレール清掃装置について説明する。なお、各図面における対応する構成については、同一の符合を付して重複する説明を省略する。
【００５５】
図６は実施例５に係るエレベータのドアレール清掃装置の清掃部材と保持具の取付状態を示す斜視図である。
【００５６】
図６において、２２は植毛台１２ａを保持する保持体、２２ａは保持体２２のＬ字状に折れ曲がった一辺でありその先端に清掃部材１２を取り付ける保持辺、２２ｂは保持体２２のＬ字状に折れ曲がった一辺である保持辺２２ａと直交する他方の辺である固定辺、２２ｃは保持体２２の固定辺２２ｂに開けられたエレベータのドアレール清掃装置１９をドアハンガー５ａ、５ｂに固定するための固定穴、２２ｄは保持辺２２ａの清掃部材１２取り付け側の先端部、１８は潤滑油をドアレール１１に塗布するための給油体、１８ａは潤滑油を含浸するためのフェルト、１８ｂはフェルト１８ａを保持するための軸部である。
【００５７】
実施例５は実施例１または実施例２と同様の構成をとるが、固定辺２２ｂに開けられた固定穴（図示せず）を介し、給油体１８を構成するフェルト１８ａに固定された軸部１８ｂを保持体２２に固定する。保持体２２がドアハンガー５ａ、５ｂに固定されると、フェルト１８ａはドアレール１１の上部の凸状部に当接する。
【００５８】
実施例５において、給油体１８を構成するフェルト１８ａに定期的に注油することにより、潤滑油をドアレール１１上の上部の凸状部に塗布すると共に、清掃部材１２によりドアレール１１上の上部の凸状部における塵埃あるいは塵埃と油分が混合した粘度のある汚れを漏らすことなく清掃することができる。そして、ガタツキや異音を生じることがないため、エレベータドアの開閉性能を劣化させるという問題が解消する。
【実施例６】
【００５９】
次に、図１０を用いて、本実施形態のエレベータのドアレール清掃装置について説明する。なお、各図面における対応する構成については、同一の符合を付して重複する説明を省略する。
【００６０】
図１０は実施例６に係るエレベータのドアレール清掃装置の清掃部材を示す正面図である。
【００６１】
図１０において、２９は清掃部材、２９ａは植毛台、２９ｂは植毛台２９ａに植毛された毛束、２９ｅは植毛台２９ａの毛束２９ｂと直交する方向の断面のＴ形状におけるフランジ部、２９ｃは植毛台に開けられた固定用穴、２９ｄは毛束２９ｂの先端弧状部である。
【００６２】
ドアレールのドアレール長手方向から見た断面において、上部の凸状部が半円状、半だ円形状など曲線状の凸状である場合、毛束２９ｂがドアレールの上部の前記凸状部(上面)の法線方向に向って植毛台２９ａに植毛されている。その結果、毛束２９ｂとドアレール１１が当接する当接点における法線方向と毛束２９ｂが植毛される方向とが略一致する。
【００６３】
先端弧状部２９ｄの形状であれば、毛束２９ｂの硬度が高くとも、毛束２９ｂとドアレール１１の当接部に、従来技術のような非接触部Ａ、Ａ（図１１）は生じない。その結果、ドアレール１１の上部の凸状部における塵埃あるいは塵埃と油分が混合した粘度のある汚れを漏らすことなく清掃することができる。当該実施例の場合、ドアレールのドアレール長手方向から見た断面において、上部の凸状部が半円状、半だ円形状など曲線状の凸状である場合に特に確実に、清掃部材２９によりドアレール１１上の上部の凸状部における塵埃あるいは塵埃と油分が混合した粘度のある汚れを漏らすことなく清掃することができる。そして、ガタツキや異音を生じることがないため、エレベータドアの開閉性能を劣化させるという問題が解消する。
【００６４】
前記各実施例はかごのドア開閉機構について記載したが、乗場のドア開閉機構についても同様の効果を得ることができるのはもちろんである。
【００６５】
また、実施例は中央開き型ドア開閉装置について説明したが、片開き型ドア開閉装置についても同様の効果を得ることができるのは当然である。
【００６６】
また、実施例では２枚のエレベータドアを有するドア開閉装置について説明したが、少なくとも１枚のエレベータドアを有するドア開閉装置であれば、同様の効果を得ることができるのは当然である。
【００６７】
また、各実施例におけるドアレールのドアレール長手方向から見た断面において、上部の凸状部は半円状、三角形状、台形、半だ円形状など凸状であれば、同様の効果を得ることができるのは当然である。
【符号の説明】
【００６８】
１                        電動機
２、１９                  エレベータのドアレール清掃装置
３                        上部フレーム
４ａ、４ｂ                エレベータドア
５ａ、５ｂ                ドアハンガー
６                        固定部材
７、８                    連結具                
９                        従動プーリ
１０                      駆動ベルト
１１                      ドアレール
１２、２５、２９          清掃部材
１２ａ、２９ａ            植毛台
１２ｂ、２９ｂ            毛束
１２ｃ、２９ｃ            固定用穴
１２ｅ、２９ｅ            フランジ部
１２ｄ、１２ｆ、２９ｄ    先端弧状部
１３、１４                固定部材
１５                      アップスラストローラ
１６                      ナット
１７、２２，２３          保持体
１７ａ、２２ａ            保持辺
１７ｂ，２２ｂ            固定辺
１７ｃ，２２ｃ            固定穴
１７ｄ，２２ｄ            先端部
１８                      給油体
１８ａ                    フェルト
１８ｂ                    軸部
２０                      蓋体
２１                      取手                      
２４                      固定具
２６                      駆動プーリ
２７                      ハンガーローラ
２８                      筐体
Ａ                        非接触部
【図１】
2014019518.tif 000003
【図２】
2014019518.tif 000004
【図３】
2014019518.tif 000005
【図４】
2014019518.tif 000006
【図５】
2014019518.tif 000007
【図６】
2014019518.tif 000008
【図７】
2014019518.tif 000009
【図８】
2014019518.tif 000010
【図９】
2014019518.tif 000011
【図１０】
2014019518.tif 000012
【図１１】
2014019518.tif 000013